(57)【要約】  本発明は、０．３〜１．１ｇ／ｃｍ３の嵩密度および１μｍ〜２０ｍｍの粒度を有する、固体の、フレーク状または粉末状の粒子の形態にある、１，５００〜３５，０００ｇ／ｍｏｌの範囲の数平均分子量を有するポリエチレングリコールを含む装飾材料、ならびにその製造方法に関する。【特許請求の範囲】
【請求項１】
０．３〜１．１ｇ／ｃｍ３の嵩密度および１μｍ〜２０ｍｍの粒度を有する、固体の、フレーク状または粉末状の粒子の形態にある、１，５００〜３５，０００ｇ／ｍｏｌの範囲の数平均分子量を有するポリエチレングリコールを含む装飾材料。
【請求項２】
ポリエチレングリコールの数平均分子量が２，０００〜３０，０００ｇ／ｍｏｌである、請求項１に記載の装飾材料。
【請求項３】
ポリエチレングリコールの数平均分子量が４，０００〜２５，０００ｇ／ｍｏｌである、請求項１に記載の装飾材料。
【請求項４】
ポリエチレングリコールの融点が３５〜６５℃である、請求項１〜３のいずれか１つに記載の装飾材料。
【請求項５】
ポリエチレングリコールの融点が４０〜６０℃である、請求項１〜３のいずれか１つに記載の装飾材料。
【請求項６】
ブチルヒドロキシアニソールまたはブチルヒドロキシトルエンが、それぞれ食品品質で追加的に添加されている、請求項１〜５のいずれか１つに記載の装飾材料。
【請求項７】
１種または複数種の染料を、装飾材料の重量を基準として０．０１〜２重量％の濃度で追加的に含む、請求項１〜６のいずれか１つに記載の装飾材料。
【請求項８】
１種または複数種の香料を有効濃度で追加的に含む、請求項１〜７のいずれか１つに記載の装飾材料。
【請求項９】
０．１〜２０ｍｍの粒度を有するフレークの形態で存在する、請求項１〜７のいずれか１つに記載の装飾材料。
【請求項１０】
１〜１０００μｍの粒度を有する粉末として存在する、請求項１〜７のいずれか１つに記載の装飾材料。
【請求項１１】
装飾材料としての、特に人工雪としての、請求項１〜１０のいずれか１つに記載のポリエチレングリコールの使用。
【請求項１２】
冷却したベルトまたはローラー上で液体のポリエチレングリコールを凝固させ、引き続いて０．１ｍｍ〜２０ｍｍの粒度に粉砕してフレークとすることにより、液体のポリエチレングリコールを固体形態に変換することによって、請求項１〜１０のいずれか１つに記載の装飾材料、特に人工雪を製造する方法。
【請求項１３】
冷却噴霧装置において液体のポリエチレングリコールを１μｍ〜１０００μｍの粒度に加工して噴霧粉末とすることにより、液体のポリエチレングリコールを固体形態に変換することによって、請求項１〜１０のいずれか１つに記載の装飾材料、特に人工雪を製造する方法。
【請求項１４】
固体のポリエチレングリコールを粉砕プロセスにより１μｍ〜１０００μｍの粒度に粉砕して粉砕粉末とすることにより、固体のポリエチレングリコールを粉末形態に変換することによって、請求項１〜１０のいずれか１つに記載の装飾材料、特に人工雪を製造する方法。
【発明の詳細な説明】
【技術分野】
【０００１】
この発明は、一般装飾および季節装飾のために使用することができる装飾材料、特に人工雪に関する。本発明はまた、ポリエチレングリコールから装飾材料、特に人工雪を製造する方法に関する。本発明はさらに、装飾材料、特に人工雪の製造のためのポリエチレングリコールの使用に関する。
【背景技術】
【０００２】
装飾材料、特に人工雪は、例えばショーウィンドウ、展示室、見本市のブース、レストランのショーケース、広告用写真および広告用フィルム等の魅力の増加を含む、種々の使用分野を有する。人工雪は、家および店舗の季節装飾のために、ならびに劇の創作、映画のセット等における本物の雪の代替として、使用できる。
【０００３】
好ましくは、人工雪は天然雪に質感および色で似ているが、これを達成するのは困難である。
【０００４】
ＵＳ−２００５／０１２６６９３（特許文献１）は、人工雪−装飾製品およびその製造方法を教示している。上記の人工雪製品は、雪原の形態に成形されている白く着色されたシリコンゴムを含む。
【０００５】
ＵＳ−２０１１／００６５８４１（特許文献２）は、デンプン、ポリビニルアルコール、水添ダイズフレークおよびタルクからの混合物を押出し、フレークとして分散させることにより、人工雪を製造する方法を教示している。
【先行技術文献】
【特許文献】
【０００６】
【特許文献１】ＵＳ−２００５／０１２６６９３
【特許文献２】ＵＳ−２０１１／００６５８４１
【発明の概要】
【発明が解決しようとする課題】
【０００７】
人工雪または装飾材料は、多くの場合に、公衆がアクセス可能な場所で使用され、従って健康的なリスクを示さないべきである。さらに、上記装飾材料は不燃性であるべきである。
【課題を解決するための手段】
【０００８】
本発明の対象は、０．３〜１．１ｇ／ｃｍ３の嵩密度および１μｍ〜２０ｍｍの粒度を有し、固体の、フレーク状または粉末状の粒子の形態にある、１，５００〜３５，０００ｇ／ｍｏｌの範囲の数平均分子量を有するポリエチレングリコールを含む装飾材料である。
【０００９】
本発明のさらなる対象は、冷却したベルトまたはローラー上で液体のポリエチレングリコールをフレーク化し、引き続いて１μｍ〜２０ｍｍの粒度に粉砕することにより、液体のポリエチレングリコールを固体形態に変換することによって、装飾材料、特に人工雪を製造する方法である。
【００１０】
本発明のさらなる対象は、０．３〜１．１ｇ／ｃｍ３の嵩密度および１μｍ〜２０ｍｍの粒度を有し、固体の、フレーク状または粉末状の粒子の形態にある、１，５００〜３５，０００ｇ／ｍｏｌの範囲の数平均分子量を有するポリエチレングリコールの、装飾材料、特に人工雪としての使用である。
【図面の簡単な説明】
【００１１】
【図１】別の装飾材料とともにアレンジして作成した冬の風景を示す。
【図２】数平均分子量と測定粘度との相関関係を示す。
【００１２】
フレーク状粒子は、本発明の好ましい実施態様として、０．１〜２０ｍｍ、好ましくは０．４〜１０ｍｍの粒度を有する。粉末形態の粒子は、本発明の好ましい実施態様として、１〜１０００μｍ、好ましくは５〜７００μｍの粒度を有する。
【００１３】
１つの好ましい実施態様において、本発明の装飾材料の嵩密度は、０．３〜０．８、特に０．４〜０．７ｇ／ｃｍ３である。
【００１４】
粉末としての実施のために、溶融物を冷却噴霧装置で噴霧粉末に加工することができる。噴霧粉末は、好ましくは、＜９０μｍの大きさを有する粉末粒子を最大で１５重量％、９０〜２００μｍの大きさを有する粉末粒子を２０〜４５重量％および＞２００μｍの大きさを有する粉末粒子を３５〜７０重量％含む。そのような噴霧粉末は、好ましくは、０．４３〜０．７２ｇ／ｃｍ３の嵩密度を有する。
【００１５】
しかしながら、粉砕装置における粉砕プロセスにより、粉砕粉末を製造することもまた可能である。１つの実施形態において、粉砕粉末は、好ましくは、＜９０μｍの大きさを有する粉末粒子を１〜３０重量％、９０〜２００μｍの大きさを有する粉末粒子を１０〜３０重量％および＞２００μｍの大きさを有する粉末粒子を５０〜７５重量％含む。そのような粉砕粉末は、好ましくは、０．５〜０．７ｇ／ｃｍ３の嵩密度を有する。１つの実施態様において、微細な粉砕粉末は、好ましくは、＜９０μｍの大きさを有する粉末粒子を７５〜９５重量％、９０〜２００μｍの大きさを有する粉末粒子を５〜２５重量％および＞２００μｍの大きさを有する粉末粒子を０〜５重量％含む。そのような微細粉砕粉末は、好ましくは、０．４５〜０．５５ｇ／ｃｍ３の嵩密度を有する。
【００１６】
粒度の測定は、適切な粒子分析器により行われる。適切な粒子分析器の選択は、測定すべき粒度に依存する。１μｍ〜１ｍｍの範囲の粒度は、好ましくは、光散乱により測定される。光散乱を利用する適当な粒子分析器は、Ｒｅｔｓｃｈ社の装置Ｃｒｙｓｔａｌｓｉｚｅｒである。１〜２０ｍｍの範囲の粒度は、好ましくは、篩分析により物理的に測定される。
【００１７】
１つの好ましい実施態様において、本発明の装飾材料の嵩密度は、０．３〜０．８、特に０．４〜０．７ｇ／ｃｍ３である。
【００１８】
１つの好ましい実施態様において、本発明の人工雪、または本発明の装飾材料、特に人工雪は、２，０００〜３０，０００、特に４，０００〜２５，０００ｇ／ｍｏｌの数平均分子量を有するポリエチレングリコールを含む。
【００１９】
分子量の測定は、回転粘度計測定による２０℃でのポリエチレングリコールの５０％水溶液の粘度の測定によって、行われる（ＩＳＯ６３８８）。数平均分子量と測定粘度との相関関係を図２に示す。
【００２０】
使用したポリエチレングリコールの融点は、好ましくは、３５〜６５℃、特に４０〜６０℃である。
【００２１】
ポリエチレングリコールには、安定化剤、例えばＢＨＡ（ブチルヒドロキシアニソール）またはＢＨＴ（ブチルヒドロキシトルエン）を、それぞれ食品品質で添加することができる。それ自身既に非常に貯蔵安定性であるポリエチレングリコールを、これらの安定化剤の添加により一層貯蔵可能にすることができる。その際、添加される安定化剤の量比は、装飾材料の重量を基準として、０．０１重量％〜０．１０重量％であることができる。
【００２２】
さらなる実施態様において、ポリエチレングリコールを、種々の染料または香料と混合し、それによって例えば装飾の使用分野を、香りという別の使用分野、例えば商業スペース、展示スペースまたはさらに個人のスペースの香りという別の使用分野と結びつけることも可能である。
【００２３】
装飾材料、特に人工雪の重量を基準として０．０１〜２重量％の濃度の適切な染料の添加により、追加的な色彩効果を得ることができる。
【００２４】
本発明の装飾材料、特に人工雪は、環境に優しく無毒性であり、そして他の人工雪／装飾材料−製品の課題（健康によくない、有毒なまたは環境汚染性の物質を含む）を克服する。
【００２５】
本発明の装飾材料、特に人工雪の製造は、以下のように行うことができる。
【００２６】
適切な原料、好ましくは最大６個の炭素原子を有するポリアルキレングリコール、特にモノエチレングリコールまたはジエチレングリコールから出発して、適切なエトキシル化反応器において、エチレンオキシドとの反応を通して、１，５００〜３５，０００ｇ／ｍｏｌのモル質量を有するポリエチレングリコールが製造される。このポリエチレングリコールは、溶融物として、フレーク状粒子の製造のための装置に供給される。この装置において、冷却されたベルトまたはローラー上で溶融物が冷却され、その結果、ポリエチレングリコールが固体になる。１μｍ〜２０ｍｍの粒度を得るために、当該生成物を引き続き粉砕装置に供給する。粉砕後、生成物を適切な容器に移す。
【００２７】
これにより製造した人工雪または一般の装飾材料は、上記製造方法により、特徴的かつ非常に魅力的な視覚効果を有する。上記フレーク状粒子は、光の中で輝き、純白のまたは任意選択的に着色された外観は、所望の効果のために用いることができる。
【００２８】
本発明の人工雪は、家および店舗の季節装飾のために、並びに劇の創作、映画のセット等における本物の雪の代替としての使用に適している。本発明の人工雪はまた、広告および他の商業的な芸術作品の作製に使用することもできる。本発明の一般装飾材料は、例えばショーウィンドウ、展示室、見本市のブース、レストランのショーケース、広告用写真および広告用フィルム等の魅力を増加させるための使用に適している。
【実施例】
【００２９】
例
２０℃で約１３００ｍＰａの５０％水溶液の粘度から決定された（回転粘度計による測定、ＩＳＯ６３８８）数平均分子量１２，０００ｇ／ｍｏｌ、約５６℃の融点および０．２ｍｍ〜１０ｍｍの粒度を有するＰＥＧフレークを、別の装飾材料とともにアレンジして冬の風景を作成した。図１からわかるように、それは雪の印象を与えるものである。
【図１】
2018512459.tif 000002
【図２】
2018512459.tif 000003
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
０．３〜１．１ｇ／ｃｍ３の嵩密度および１μｍ〜２０ｍｍの粒度を有する、固体の、フレーク状または粉末状の粒子の形態にある、１，５００〜３５，０００ｇ／ｍｏｌの範囲の数平均分子量を有するポリエチレングリコールの、装飾材料としての、特に人工雪としての使用。
【請求項２】
ポリエチレングリコールの数平均分子量が２，０００〜３０，０００ｇ／ｍｏｌである、請求項１に記載の使用。
【請求項３】
ポリエチレングリコールの数平均分子量が４，０００〜２５，０００ｇ／ｍｏｌである、請求項１に記載の使用。
【請求項４】
ポリエチレングリコールの融点が３５〜６５℃である、請求項１〜３のいずれか１つに記載の使用。
【請求項５】
ポリエチレングリコールの融点が４０〜６０℃である、請求項１〜３のいずれか１つに記載の使用。
【請求項６】
ブチルヒドロキシアニソールまたはブチルヒドロキシトルエンが、それぞれ食品品質で追加的に添加されている、請求項１〜５のいずれか１つに記載の使用。
【請求項７】
１種または複数種の染料を、装飾材料の重量を基準として０．０１〜２重量％の濃度で追加的に含む、請求項１〜６のいずれか１つに記載の使用。
【請求項８】
１種または複数種の香料を有効濃度で追加的に含む、請求項１〜７のいずれか１つに記載の使用。
【請求項９】
０．１〜２０ｍｍの粒度を有するフレークの形態で存在する、請求項１〜８のいずれか１つに記載の使用。
【請求項１０】
１〜１０００μｍの粒度を有する粉末として存在する、請求項１〜８のいずれか１つに記載の使用。
【国際調査報告】
2018512459.tif 000004
2018512459.tif 000005
2018512459.tif 000006
2018512459.tif 000007
2018512459.tif 000008
2018512459.tif 000009
2018512459.tif 000010
2018512459.tif 000011
2018512459.tif 000012
2018512459.tif 000013